(57)【特許請求の範囲】
【請求項１】
多数の円板を所定の間隔をあけて回転軸に固定して形成した複数の円柱状スクリーンユニットを、隣接する円柱状スクリーンユニットの円板同士が重なり合うように配設して構成したスクリーンを、取水路の取入口に設置するとともに、前記取水路の取入口に隣接して異物取入水路の取入口を形成し、該異物取入水路の取入口に、異物を破砕する破砕機を設置した水取入口の異物侵入防止設備において、前記破砕機を、周面に凹凸を形成した多数の円板を所定の間隔をあけて回転軸に固定して形成した複数の円柱状破砕機ユニットを、隣接する円柱状破砕機ユニットの円板同士が重なり合うように配設して構成したことを特徴とする水取入口の異物侵入防止設備。
【発明の詳細な説明】
【０００１】
【発明の属する技術分野】
本発明は、水取入口の異物侵入防止装置に関し、例えば、火力発電所、原子力発電所において用いることによって、復水器冷却用の冷却水の取入口に設けた異物の侵入を防止するスクリーンが、異物によって閉塞しないようにした水取入口の異物侵入防止設備に関するものである。
【０００２】
【従来の技術】
従来、火力発電所、原子力発電所においては、復水器冷却用の冷却水に用いる海水を、海岸線に設けた冷却水の取入口を介して冷却水取水路に取り入れるようにしている。
【０００３】
そして、この冷却水の取入口には、海水中のクラゲその他の海洋生物やごみ等の異物（本明細書において、単に「異物」という。）が、海水と共に冷却水取水路内に侵入し、復水器等の機器内に取り込まれてがこれらの機器が損傷を受けないようにするために、冷却水取入口に異物の侵入を阻止するためのバースクリーンを備えた異物侵入防止設備が設置されていた。
【０００４】
【発明が解決しようとする課題】
しかしながら、上記従来の発電所における冷却水取入口の異物侵入防止設備は、クラゲが大量に発生した場合や大雨等によりごみが大量に発生した場合等には、大量の異物によってバースクリーンが閉塞してしまい、所要量の取水が不可能となり、復水器の冷却等発電設備の稼働に支障をきたし、発電効率が低下するという問題があった。
【０００５】
本発明は、上記従来の水取入口の異物侵入防止設備の有する問題点を解決し、異物が大量に発生した場合においても、スクリーンの周囲に異物が滞留することを確実に防止し、スクリーンが閉塞することなく、安定して所要量の取水を行うことができるようにした水取入口の異物侵入防止設備を提供することを目的とする。
【０００６】
【課題を解決するための手段】
上記目的を達成するため、本発明の水取入口の異物進入防止設備は、多数の円板を所定の間隔をあけて回転軸に固定して形成した複数の円柱状スクリーンユニットを、隣接する円柱状スクリーンユニットの円板同士が重なり合うように配設して構成したスクリーンを、取水路の取入口に設置するとともに、前記取水路の取入口に隣接して異物取入水路の取入口を形成し、該異物取入水路の取入口に、異物を破砕する破砕機を設置した水取入口の異物侵入防止設備において、前記破砕機を、周面に凹凸を形成した多数の円板を所定の間隔をあけて回転軸に固定して形成した複数の円柱状破砕機ユニットを、隣接する円柱状破砕機ユニットの円板同士が重なり合うように配設して構成したことを特徴とする。
【０００７】
この水取入口の異物侵入防止設備は、多数の円板を所定の間隔をあけて回転軸に固定して形成した複数の円柱状スクリーンユニットからなるスクリーンを、取水路の取入口に設置することにより、取水路の取入口の位置においてスクリーンにより捕捉した異物を、スクリーンを構成する円板を回転することにより異物取入水路の取入口側に順次送り込み、異物取入水路内に取り入れ、例えば、ポンプを用いて取水路の取入口から遠く離れた海域に放出すること等により処理することができるため、異物が大量に発生した場合や潮流のない海域においても、スクリーンの周囲に異物が滞留することを確実に防止することができ、スクリーンが閉塞することがなく、安定して所要量の取水を行うことができる。
そして、異物取入水路の取入口に、異物を破砕する破砕機を設置することにより、異物を細かく破砕した状態で異物取入水路内に取り入れることができ、ポンプを用いた異物の処理を円滑に行うことができ、特に、この破砕機を、周面に凹凸を形成した多数の円板を所定の間隔をあけて回転軸に固定して形成した複数の円柱状破砕機ユニットを、隣接する円柱状破砕機ユニットの円板同士が重なり合うように配設して構成することにより、異物取入水路の取入口側に順次送り込まれた異物を、破砕機を構成する円板を回転することにより細かく破砕しながら確実に異物取入水路内に取り入れることができる。
【０００８】
【発明の実施の形態】
以下、本発明の水取入口の異物進入防止設備の実施の形態を図面に基づいて説明する。
【０００９】
本実施例において、異物侵入防止設備は、火力発電所又は原子力発電所における復水器冷却用の冷却水を海１０から取水するために海１０側に突出するように配設した冷却水取水路１１の取入口１１ａにスクリーン３を設置するとともに、この取入口１１ａに仕切壁１３を介して、隣接して配設した異物取入水路１２の取入口１２ａに破砕機４を設置して構成するようにしている。
【００１０】
この場合において、冷却水取水路１１の取入口１１ａと、異物取入水路１２の取入口１２ａは、海岸線、すなわち岸壁２に対し所定の角度θを以て非平行に、かつ、直線状に開口するようにし、これに沿って、スクリーン３及び破砕機４を、岸壁２に対し所定の角度θを以て非平行に設置するようにする。
【００１１】
スクリーン３は、図２に示すように、多数の円板３２を所定の間隔をあけて回転軸３１に固定して形成した複数の円柱状スクリーンユニット３０を、隣接する円柱状スクリーンユニット３０の円板３２，３２同士が重なり合うように配設して構成する。
【００１２】
このスクリーン３は、異物の侵入を阻止しながら、スクリーン３を構成する円板３２の隙間を介して、冷却水取水路１１の取入口１１ａ内に海水を取り入れるようにするとともに、各円柱状スクリーンユニット３０の回転軸３１を、電動モータ等の駆動源３３により、スプロケットホイール及びチェーン又はギヤ等の任意の動力伝達機構（図示省略）を介して、同一方向（図１において右回り）に回転駆動し、回転する円板３２の作用により、スクリーン３により捕捉した異物を、冷却水取水路１１の取入口１１ａ側から異物取入水路１２の取入口１２ａ側に順次送り込むように構成している。
なお、駆動源３３による回転軸３１の回転は、一定の回転数としてもよいが、スクリーン３に捕捉される異物の量等に応じて回転数を可変としたり、間欠的に回転するように構成することもできる。
【００１３】
破砕機４は、この方式のものに限定されないが、図２及び図３に示すように、周面に鋸歯状の凹凸４２ａを形成した多数の円板４２を所定の間隔をあけて回転軸４１に固定して形成した複数の円柱状破砕機ユニット４０を、隣接する円柱状破砕機ユニット４０の円板４２，４２同士が重なり合うように配設して構成する。
【００１４】
この破砕機４は、破砕機４を構成する円板４２の隙間を介して、異物取入水路１２の取入口１２ａ内に海水を取り入れるようにするとともに、各円柱状破砕機ユニット４０の回転軸４１を、電動モータ等の駆動源（本実施例においては、スクリーン３の駆動源３３と共通）により、スプロケットホイール及びチェーン又はギヤ等の任意の動力伝達機構（図示省略）を介して、隣接する円柱状破砕機ユニット４０を互いに逆方向に回転駆動し、回転する円板４２の作用により、スクリーン３により捕捉され、冷却水取水路１１の取入口１１ａ側から異物取入水路１２の取入口１２ａ側に順次送り込まれた異物を細かく破砕しながら、異物取入水路１２内に取り入れるように構成している。
なお、回転軸４１の回転は、スクリーン３と同様、一定の回転数としてもよいが、スクリーン３に捕捉される異物の量等に応じて回転数を可変としたり、間欠的に回転するように構成することもできる。
【００１５】
次に、この水取入口の異物侵入防止設備の作用を説明する。
冷却水取水路１１の取入口１１ａに設置したスクリーン３の各円柱状スクリーンユニット３０の回転軸３１を、電動モータ等の駆動源３３により同一方向（図１において右回り）に回転駆動するとともに、異物取入水路１２の取入口１２ａに設置した破砕機４の各円柱状破砕機ユニット４０の回転軸４１を、駆動源３３により隣接する円柱状破砕機ユニット４０で互いに逆方向に回転駆動する。
これにより、異物の侵入を阻止しながら、スクリーン３を構成する円板３２の隙間を介して、冷却水取水路１１の取入口１１ａ内に海水を取り入れるとともに、回転する円板３２の作用により、冷却水取水路１１の取入口１１ａに位置するスクリーン３により捕捉した異物を、冷却水取水路１１の取入口１１ａ側から異物取入水路１２の取入口１２ａ側に順次送り込むようにし、冷却水取水路１１の取入口１１ａに位置するスクリーン３の閉塞を防止して、安定して所要量の取水を行うことができるものとなる。
また、異物取入水路１２の排出口１２ａ側に送り込まれた異物は、冷却水排水路１２の排出口１２ａの位置において、回転する円板４２の作用により、細かく破砕され、海水と共に異物取入水路１２内に取り入れられる。
【００１６】
このようにして、細かく破砕され、海水と共に異物取入水路１２内に取り入れられた異物は、例えば、ポンプ（図示省略）を用いて冷却水取水路１１の取入口１１ａから遠く離れた海域に放出したり、別途設けたスクリーン（図示省略）により捕捉し、レーキにより掻き上げること等により処理するようにする。
【００１７】
【発明の効果】
本発明の水取入口の異物進入防止設備によれば、多数の円板を所定の間隔をあけて回転軸に固定して形成した複数の円柱状スクリーンユニットからなるスクリーンを、取水路の取入口に設置することにより、取水路の取入口の位置においてスクリーンにより捕捉した異物を、スクリーンを構成する円板を回転することにより異物取入水路の取入口側に順次送り込み、異物取入水路内に取り入れ、例えば、ポンプを用いて取水路の取入口から遠く離れた海域に放出すること等により処理することができるため、異物が大量に発生した場合や潮流のない海域においても、スクリーンの周囲に異物が滞留することを確実に防止することができ、スクリーンが閉塞することがなく、安定して所要量の取水を行うことができる。
また、この水取入口の異物侵入防止設備は、一旦スクリーンにより捕捉した異物を放出することができるため、スクリーン渣が発生せず、設備の保守管理を著しく簡略化することができる。
そして、異物取入水路の取入口に、異物を破砕する破砕機を設置することにより、異物を細かく破砕した状態で異物取入水路内に取り入れることができ、ポンプを用いた異物の処理を円滑に行うことができ、特に、破砕機を、周面に凹凸を形成した多数の円板を所定の間隔をあけて回転軸に固定して形成した複数の円柱状破砕機ユニットを、隣接する円柱状破砕機ユニットの円板同士が重なり合うように配設して構成することにより、異物取入水路の取入口側に順次送り込まれた異物を、破砕機を構成する円板を回転することにより細かく破砕しながら確実に異物取入水路内に取り入れることができる。
【図面の簡単な説明】
【図１】  本発明の水取入口の異物進入防止設備の一実施例を示す平面図である。
【図２】  スクリーン及び破砕機を示し、（ａ）は平面図、（ｂ）は正面図である。
【図３】  破砕機の円板の詳細を示す平面図である。
【符号の説明】
１０  海
１１  冷却水取水路
１１ａ  取入口
１２  異物取入水路
１ａ  取入口
１３  仕切壁
２    岸壁
３    スクリーン
３０  円柱状スクリーンユニット
３１  回転軸
３２  円板
４    破砕機
４０  円柱状破砕機ユニット
４１  回転軸
４２  円板
４２ａ  凹凸
【図１】
0003718335.tif 000002
【図２】
0003718335.tif 000003
【図３】
0003718335.tif 000004